(57)【特許請求の範囲】
【請求項１】
生体情報の検出対象者の下に、当該検出対象者の身長方向に交差するように配置される空気袋と、
前記空気袋の長手方向の一端側に共に設けられ、両端が前記空気袋の外部と内部にそれぞれ配置された第１及び第２の空気管と、
前記空気袋の内部に設けられ、前記第２の空気管の前記空気袋の内部に配置された側の端部に接合されると共に、当該第２の空気管から前記空気袋の長手方向の他端側に延びた内部空気管と、
を備えた生体情報検出用のエアパッド。
【請求項２】
前記空気袋の内部に設けられ、当該空気袋に外部からの圧力がないときに内部に空隙を形成するためのクッション部材を更に備えた
請求項１に記載の生体情報検出用のエアパッド。
【請求項３】
前記内部空気管は、シリコンチューブである
請求項１又は請求項２に記載の生体情報検出用のエアパッド。
【請求項４】
生体情報の検出対象者の下に、当該検出対象者の身長方向に交差するように配置される空気袋と、前記空気袋の長手方向の一端側に共に設けられ、両端が前記空気袋の外部と内部にそれぞれ配置された第１及び第２の空気管と、前記空気袋の内部に設けられ、前記第２の空気管の前記空気袋の内部に配置された側の端部に接合されると共に、当該第２の空気管から前記空気袋の長手方向の他端側に延びた内部空気管と、を有する生体情報検出用のエアパッドと、
前記第１及び第２の空気管からの空気を合流する空気合流部と、
前記空気合流部で合流された空気の振動に基づいて、前記検出対象者の生体情報を検出する生体情報検出手段と、
を備えた生体情報検出装置。
【請求項５】
前記生体情報検出手段により検出された生体情報及びその他の情報を送信し、外部からの情報を受信するための通信部と、
前記通信部により受信されたテキスト情報、画像情報、及び音声情報の少なくとも１つを出力する情報出力部と、を更に備えた
請求項４に記載の生体情報検出装置。
【請求項６】
生体情報の検出対象者の下に、当該検出対象者の身長方向に交差するように配置される空気袋と、前記空気袋の長手方向の一端側に共に設けられ、両端が前記空気袋の外部と内部にそれぞれ配置された第１及び第２の空気管と、前記空気袋の内部に設けられ、前記第２の空気管の前記空気袋の内部に配置された側の端部に接合されると共に、当該第２の空気管から前記空気袋の長手方向の他端側に延びた内部空気管と、を有する生体情報検出用のエアパッドと、前記第１及び第２の空気管からの空気を合流する空気合流部と、前記空気合流部で合流された空気の振動に基づいて、前記検出対象者の生体情報を検出する生体情報検出手段と、を含む生体情報検出装置と、
通信可能な情報端末装置と、
前記生体情報検出装置から送信された生体情報を受信し、当該生体情報及び当該生体情報に基づく前記検出対象者の状態の少なくとも一方を、前記情報端末装置へ送信するサーバ装置と、
を備えた生体情報配信システム。
【請求項７】
前記サーバ装置は、前記検出対象者の状態として、前記検出対象者が離床した旨の情報を前記情報端末装置へ送信する
請求項６に記載の生体情報配信システム。
【発明の詳細な説明】
【技術分野】
【０００１】
本発明は、生体情報検出用のエアパッド、生体情報検出装置及び生体情報配信システムに関する。
【背景技術】
【０００２】
従来、気密性を有する内部容積の変動可能な空気袋に微小ピンホールを設けると共に、空気袋の内部に空隙を保つためのバネ材を配置した生体情報収集装置が提案されている（特許文献１参照）。【０００３】
特許文献１の生体情報収集装置は、空気袋に空気の残留がある状態で人体が乗った状態における空気圧の変化を無指向性マイクロフォン又は圧力センサにより検出する。これにより、人体の呼吸、心拍数（心拍周期）、セキやイビキを含む体動等の生体情報が計測される。
【先行技術文献】
【特許文献】
【０００４】
【特許文献１】特許第３２４２６３１号公報
【発明の概要】
【発明が解決しようとする課題】
【０００５】
本発明は、従来技術の問題を解決するために提案されたものである。
【課題を解決するための手段】
【０００６】
本発明に係る生体情報検出用のエアパッドは、生体情報の検出対象者の下に、当該検出対象者の身長方向に交差するように配置される空気袋と、前記空気袋の長手方向の一端側に共に設けられ、両端が前記空気袋の外部と内部にそれぞれ配置された第１及び第２の空気管と、前記空気袋の内部に設けられ、前記第２の空気管の前記空気袋の内部に配置された側の端部に接合されると共に、当該第２の空気管から前記空気袋の長手方向の他端側に延びた内部空気管と、を備えている。
【０００７】
本発明に係る生体情報検出装置は、前記生体情報検出用のエアパッドと、前記第１及び第２の空気管からの空気を合流する空気合流部と、前記空気合流部で合流された空気の振動に基づいて、前記検出対象者の生体情報を検出する生体情報検出手段と、を備えている。【０００８】
本発明に係る生体情報配信システムは、前記生体情報検出装置と、通信可能な情報端末装置と、前記生体情報検出装置から送信された生体情報を受信し、当該生体情報及び当該生体情報に基づく前記検出対象者の状態の少なくとも一方を、前記情報端末装置へ送信するサーバ装置と、を備えている。
【発明の効果】
【０００９】
本発明は、コストをかけることなく、検出対象者の位置に影響されずに、高精度に検出対象者の生体情報を検出することができる。
【図面の簡単な説明】
【００１０】
【図１】生体情報配信システムの構成を示す図である。
【図２】生体情報配信システムのサービス内容を示す概念図である。
【図３】生体情報検出装置の詳細な構成を示す正面図である。
【図４】生体情報検出装置の本体部の外観斜視図である。
【図５】本体部の機能的な構成を示すブロック図である。
【図６Ａ】対象者がエアパッドの端部（空気管の反対側）近傍に寝ている場合であって、本実施形態の生体情報の検出結果を得るための実験状況を示す図である。
【図６Ｂ】対象者がエアパッドの端部（空気管の反対側）近傍に寝ている場合であって、従来の生体情報の検出結果を得るための実験状況を示す図である。
【図７】本実施形態の生体情報である呼吸数（上段）及び心拍数（下段）の信号波形を示す図である。
【図８】従来の生体情報である呼吸数（上段）及び心拍数（下段）の信号波形を示す図である。
【図９】エアパッドセンサが布団の下に敷かれたときの生体情報である呼吸数（上段）及び心拍数（下段）の信号波形を示す図である。
【図１０】エアパッドセンサが布団の下に敷かれていない（対象者が直接載っている）とき生体情報である呼吸数（上段）及び心拍数（下段）の信号波形を示す図である。
【図１１】本実施形態の生体情報配信システムが用いられた介護サービス付き住宅のスマートハウスを示す図である。
【発明を実施するための形態】
【００１１】
以下、本発明の実施の形態について図面を参照しながら詳細に説明する。
図１は、生体情報配信システム１の構成を示す図である。
生体情報配信システム１は、生体情報の検出対象者（以下「対象者」という。）から心拍数や呼吸数などの生体情報を検出し、かつデータ通信が可能な生体情報検出装置１０と、データ通信が可能な情報端末装置２０と、生体情報を管理して人体に関する情報を情報端末装置２０へ配信する生体情報管理サーバ３０と、を備えている。
【００１２】
図１では、生体情報検出装置１０及び情報端末装置２０がそれぞれ３つ、生体情報管理サーバ３０が１つのみ図示されている。但し、生体情報配信システム１において、生体情報検出装置１０及び情報端末装置２０の数は限定されるものではなく、生体情報を検出すべき対象者の数に応じて設けられている。また、生体情報管理サーバ３０は、１つであってもよいし、負荷分散のために複数設けられてもよい。
【００１３】
図２は、生体情報配信システム１のサービス内容を示す概念図である。
生体情報検出装置（エアパッドセンサ）１０は、対象者のベッドパッド又はベッドマットの下に配置され、対象者が寝ている状態で、心拍・呼吸数などの生体情報を検出する。さらに、生体情報検出装置１０は、環境情報として、温度、湿度、部屋の明るさ、騒音、臭い、気圧等を検出する。生体情報検出装置１０は、検出した生体情報や環境情報を内部のメモリに自動的に記録すると共に、リアルタイム又は所定のタイミングで、インターネットを介して、図１に示す生体情報管理サーバ３０に送信する。また、生体情報検出装置１０は、予め対象者の個人情報（年齢、性別、居住地域（位置情報）、要介護レベル等）を記憶しておき、この個人情報を生体情報管理サーバ３０に送信する。
【００１４】
情報端末装置２０は、有線又は無線によりインターネット回線に接続可能な端末であればよく、例えば、いわゆるスマートフォン、タブレット端末、携帯電話、小型パーソナルコンピュータなどが該当する。情報端末装置２０は、例えば、医者、看護婦、介護者、対象者の親族等の対象者の状態を確認したい者に所有される。
【００１５】
情報端末装置２０は、生体情報管理サーバ３０から送信された生体情報、警告情報（例えば離床した旨の情報）、その他の情報を表示する。これにより、ユーザは、対象者から離れた場所にいる場合でも、対象者の生体情報・その他の情報を確認したり、対象者が離床したか否かを把握したりすることができる。また、情報端末装置２０は、生体情報管理サーバ３０を経由して、生体情報検出装置１０との間で、テキスト文書、画像、音声の各情報を送受信することも可能である。
【００１６】
生体情報管理サーバ３０は、生体情報検出装置１０から送信された生体情報を、予め決められた情報端末装置２０へ送信する。また、生体情報管理サーバ３０は、生体情報検出装置１０から送信された生体情報に基づいて、対象者が離床したか否かを判定することもできる。
【００１７】
例えば、生体情報管理サーバ３０は、生体情報検出装置１０から送信された生体情報が所定時間（例えば２０秒間）途切れると、対象者が離床したと判定し、離床したことを示す警告情報を情報端末装置２０へ送信する。また、生体情報管理サーバ３０は、生体情報検出装置１０から送信された心拍数が所定時間（例えば２分間）連続して、３０以下になった場合又は１７０以上になった場合に、異常であることを示す警告情報を情報端末装置２０へ送信してもよい。
【００１８】
さらに、生体情報管理サーバ３０は、ネットワーク上に接続されている全対象者から生体情報及び個人情報を集計して、対象者の居住地域、季節、要介護レベル、環境情報にそれぞれ応じた統計データ（ビックデータ）を作成することもできる。この統計データによれば、任意の条件を満たすそれぞれの対象者（例えば、６０代男性、居住地域：北海道、要介護レベル３など）について、環境情報がどのような状態であれば、生体情報が安定するかが把握可能になる。
【００１９】
この場合、生体情報管理サーバ３０は、任意の生体情報検出装置１０からの生体情報及び環境情報を受信すると、受信した情報と統計データとを比較する。そして、生体情報管理サーバ３０は、対象者の生体情報の異常（心拍、呼吸数の大きな変化など）を検出した場合には、統計データに基づいて、生体情報が安定しているときの環境に促すための警告情報を生体情報検出装置１０及び情報端末装置２０に送信する。これにより、生体情報検出装置１０や情報端末装置２０のユーザは、警告情報を確認して、対象者の環境（室温、湿度など）を最適な状態に調整することができる。
【００２０】
図３は、生体情報検出装置１０の詳細な構成を示す正面図である。
生体情報検出装置１０は、対象者のベッドパット又はベッドマットの下に敷かれるエアパッドセンサ５０と、エアパッドセンサ５０からの空気を合流する空気合流部６０と、空気合流部６０からの空気の振動（音圧）に基づいて生体情報を検出する本体部７０と、を備えている。
【００２１】
エアパッドセンサ５０は、内部に空気が入るエアパッド５１と、両端がエアパッド５１の外部と内部に配置された短い管状の２本の空気管５２ａ，５２ｂと、エアパッド５１内に設けられた内部空気管５３と、を備えている。
【００２２】
エアパッド５１は、気密性を有するシート状の空気袋（内部容量が可変の気密性を有する密閉キャビネットを含む。）である。エアパッド５１は、長尺状に形成されており、生体情報の検出の際には、ベッドマットレス又は敷布団の下に配置され、さらに対象者の身長方向に対して交差するように（略垂直方向に）配置される。
【００２３】
エアパッド５１は、その内部に空隙を設けるための弾性機能を有するクッション部材（例えば、発砲スポンジ）を有している。このため、エアパッド５１が外部から押圧されると、エアパッド５１が変形すると共に、その変形に応じてクッション部材も変形する。一方、エアパッド５１が押圧されなくなると、クッション部材がその弾性機能により元の形状に復元し、エアパッド５１内に空隙が設けられる。
【００２４】
空気管５２ａ，５２ｂは、共にエアパッド５１の長手方向の一端（一方の短辺）側に設けられている。
内部空気管５３は、例えばシリコンチューブであり、エアパッド５１の内部に、エアパッド５１の長手方向に沿って設けられている。内部空気管５３は、空気管５２ｂの端部（外部に露出されていない側）に接合され、当該端部からエアパッド５１の内部反対側（空気管５２ｂ側の短辺に向かい合う短辺）まで延びている。
【００２５】
このため、空気管５２ａからは、エアパッド５１の内部であって当該空気管５２ａ付近にある空気が排出される。一方、空気管５２ｂからは、エアパッド５１の内部であって、空気管５２ｂから最遠の位置にある空気が排出される。
【００２６】
ここで、内部空気管５３が、ゴムチューブや他の素材チューブの場合、経年劣化しやすく、それによって空気の振動を伝達しにくくなる傾向がある。これに対して、内部空気管５３は、シリコンチューブであるので、経年劣化しにくく、長期間、空気の振動を伝達しやすいという効果がある。
【００２７】
エアパッド５１は、対面する所定の領域が互いに接着する接着部５４，５５を有している。接着部５４は、エアパッド５１の長手方向に沿った対称軸上に、所定間隔ごとに、所定の長さ（対称軸に沿った細長形状）に形成されている。接着部５５は、隣り合う接着部５５の間に、エアパッド５１の幅方向に沿った細長形状に形成されている。このため、エアパッド５１は、それぞれの接着部５５において、屈曲可能になっている。
【００２８】
なお、エアパッド５１内に設けられたクッション部材は、接着部５４，５５に囲まれたそれぞれの領域に配置され、囲まれた接着部５４，５５によって動かないように位置決めされている。
【００２９】
図３に示すように、空気合流部６０は、空気管５２ａ，５２ｂにそれぞれ接合されているゴムチューブ６１ａ，６１ｂと、ゴムチューブ６１ａ，６１ｂからそれぞれ排出された空気を合流して１つの出口から排出する空気合流部材６２と、空気合流部材６２から排出された空気を本体部７０へ送るゴムチューブ６３と、を有している。
【００３０】
ゴムチューブ６１ａは空気管５２ａに接合され、ゴムチューブ６１ｂは空気管５２ｂに接合されている。
空気合流部材６２は、例えばＴ字型に成形されたパイプである。空気合流部材６２は、ゴムチューブ６１ａからの空気と、ゴムチューブ６１ｂからの空気と、を合流して出力する。ゴムチューブ６３は、空気合流部材６２から出力された空気を本体部７０へ送る。
【００３１】
本体部７０は、ゴムチューブ６３から送られる空気の振動に基づいて、エアパッドセンサ５０上の対象者の生体情報を検出する。
【００３２】
図４は、生体情報検出装置１０の本体部７０の外観斜視図である。本体部７０は、対象者の生体情報を検出しないときは、図３に示す空気流通部６０と切り離された状態で使用可能である。
【００３３】
図５は、本体部７０の機能的な構成を示すブロック図である。
本体部７０は、ゴムチューブ６３からの空気の振動に応じて信号を発生する圧電素子７１と、圧電素子７１により発生された生体信号にフィルタ処理を施すフィルタ処理部７２と、フィルタ処理された生体信号に基づいて呼吸数や心拍数などの生体情報を検出する信号処理部７３と、を有している。
【００３４】
さらに、本体部７０は、検出した生体情報を記録するためのメモリ７４と、外部と情報の送受信を行うための通信部７５と、生体情報等を表示するモニタ７６と、入力操作するためのタッチパネル７７と、全体制御を行う中央演算処理ユニット（ＣＰＵ）７８と、環境情報を検出する環境センサ７９と、を有している。
【００３５】
フィルタ処理部７２は、圧電素子７１からの信号に対して、ローパスフィルタ（ＬＰＦ）処理及びハイパスフィルタ（ＨＰＦ）処理を並行して行う。具体的には、フィルタ処理部７２は、呼吸数検出用として、例えば１．０Ｈｚ以下のＬＰＦ処理を行い、心拍数検出用として、例えば２．０Ｈｚ以上のＨＰＦ処理を行う。このとき、フィルタ処理部７２は、ノイズ除去のために、２〜１５Ｈｚのバンドパスフィルタ処理を行うとよい。
【００３６】
信号処理部７３は、フィルタ処理部７２でＬＰＦ処理された信号を監視して、当該信号がゼロレベルを超えたタイミングで呼吸数パルスを発生して、呼吸数パルスをカウントすることで、人体の呼吸数を検出する。
【００３７】
さらに、信号処理部７３は、上記の処理と並行して、フィルタ処理部７２でＨＰＦ処理された信号の絶対値を検出し、当該絶対値を増幅する。そして、信号処理部７３は、増幅した絶対値が所定の閾値を超えたタイミングで心拍数パルスを発生し、心拍数パルスをカウントすることで、人体の心拍数を検出する。
なお、信号処理部７３は、上述した処理に限らず、他の処理を実行することで、人体の呼吸数及び心拍数等の生体情報を検出してもよい。
【００３８】
メモリ７４には、信号処理部７３で検出された生体情報が記録される。メモリ７４に記録された生体情報は、本体部７０が空気合流部６０から切り離された状態（図４）において、モニタ７６に表示されたり、通信部７５を介して生体情報管理サーバ３０に送信されたりする。
【００３９】
通信部７５は、信号処理部７３で検出された情報をリアルタイムで、又は、メモリ７４に記録された生体情報を所定のタイミングで、生体情報管理サーバ３０へ送信する。また、通信部７５は、生体情報管理サーバ３０から送信された情報を受信する。
【００４０】
モニタ７６は、信号処理部７３で検出された生体情報、又は、メモリ７４から読み出された生体情報を表示する。また、モニタ７６は、生体情報管理サーバ３０から送信された情報を表示する。これにより、例えば、モニタ７６には、医師、看護婦、介護士等が情報端末装置２０を使って発信した情報が表示される。さらに、モニタ７６は、インターネットを介して送信された電子メール、ＳＮＳ（Ｓｏｃｉａｌ  Ｎｅｔｗｏｒｋｉｎｇ  Ｓｅｒｖｉｃｅ）の情報を表示することも可能である。
【００４１】
ＳＮＳの情報は、インターネット上のすべての人に公開されるものではなく、限定公開となる。例えば、ＳＮＳの情報管理を行う管理者（例えば担当医師）が、その管理者権限で、ＳＮＳの情報を閲覧できる人（例えば家族、看護士、介護士、ヘルパーなど）を選定する。選定された者には、ＩＤ及びパスワードが発行される。
【００４２】
そして、情報端末装置２０は、選定された者のＩＤ及びパスワードを生体情報管理サーバ３０に入力してログインして、生体情報管理サーバ３０から患者（対象者）の生体情報を閲覧することができる。また、情報端末装置２０は、患者の容態に急激な変化があった場合には、生体情報管理サーバ３０から緊急アラート情報を受信する。
【００４３】
なお、医師、看護士、介護士等が情報端末装置２０を使って発信した情報が、テキスト文書や画像の場合は、上記のようにモニタ７６に表示されるが、音声情報（医師、看護師、介護士等の声）の場合は、図示されていないスピーカから出力されてもよい。
【００４４】
一方、対象者は、自身の体調・状態を図示されていないマイクに発話してもよい。この場合、マイクに入力された音声情報は、通信部７５を介して、生体情報管理サーバ３０へ送信される。そして、医師、看護師、介護士は、それぞれが保有する情報端末装置２０を使って、対象者の発話を聞くことができる。
【００４５】
タッチパネル７７は、操作情報が入力されると、その操作情報をＣＰＵ７８へ出力する。ＣＰＵ７８は、タッチパネル７７からの操作情報に基づいて、信号処理、メモリ７４への情報の書き込み／読み出し、モニタ７６の表示内容、通信部７５による情報の送受信等を制御する。
【００４６】
環境センサ７９は、環境情報として、温度、湿度、部屋の明るさ、騒音、臭い、気圧等をそれぞれ検出するセンサである。検出された環境情報は、メモリ７４に、生体情報と共にログ情報として記録される。ログ情報は、例えば１年間連続してメモリ７４に記録される。この結果、月、時間、季節、場所（ログ情報が記録される場所（緯度・経度））、田舎又は都会などの条件によって、どのように生体情報が変化するか予測可能になる。
【００４７】
以上のように、本実施形態に係る生体情報検出装置１０は、エアパッドセンサ５０のエアパッド５１内に、空気管５２ｂの端部（外部に露出されていない側）からエアパッド５１の長手方向の反対側まで延びた内部空気管５３を備えている。
【００４８】
このため、対象者がエアパッド５１の端部（空気管５２ａ，５２ｂの反対側）近傍に寝ている場合に、対象者の心拍や呼吸によってエアパッド５１が変形すると、その変形による空気振動は、ほとんど減衰することなく、内部空気管５３を伝達して空気管５２ｂから出力される。さらに、上記変形による空気振動は、空気管５２ａからもある程度出力される。そして、空気管５２ａ，５２ｂから出力された空気振動は、空気合流部６０で合流され、本体部７０へ出力される。
【００４９】
したがって、生体情報検出装置１０は、対象者がエアパッド５１の端部（空気管５２ａ，５２ｂの反対側）近傍に寝ている場合であっても、エアパッド５１の非常にゆっくりとした微小な変化に応じた空気振動を得ることができ、その空気振動に基づく生体情報を検出することができる。
【００５０】
つぎに、本実施形態に係る生体情報検出装置１０により検出される生体情報と、従来の生体情報検出装置により検出される生体情報と、を比較する。
図６Ａは、対象者がエアパッドの端部（空気管の反対側）近傍に寝ている場合であって、本実施形態の生体情報の検出結果を得るための実験状況を示す図である。図６Ｂは、従来の生体情報の検出結果を得るための実験状況を示す図である。
【００５１】
従来、エアパッドの空気管は１つのみである。そこで、従来の生体情報の検出結果を得るためには、空気管５２ｂから空気が排出されないようにして、空気管５２ａから排出される空気のみに基づいて生体情報を検出すればよい。
【００５２】
図７は、本実施形態の生体情報である呼吸数（上段）及び心拍数（下段）の信号波形を示す図である。図８は、従来の生体情報である呼吸数（上段）及び心拍数（下段）の信号波形を示す図である。
【００５３】
図７と図８を比較すると、本実施形態に係る生体情報検出装置１０によって得られる呼吸数及び心拍数の信号波形は、従来に比べて、振幅レベルが大きくなっている。このため、従来に比べて、呼吸数及び心拍数が検出されやすくなっていることが分かる。
【００５４】
図９は、エアパッドセンサが布団の下に敷かれたときの生体情報である呼吸数（上段）及び心拍数（下段）の信号波形を示す図である。図１０は、エアパッドセンサが布団の下に敷かれていない（対象者が直接載っている）とき生体情報である呼吸数（上段）及び心拍数（下段）の信号波形を示す図である。
【００５５】
図９と図１０を比較すると、エアパッドセンサ５０が布団の下に敷かれることによって、精度よく生体情報が検出される。また、エアパッドセンサ５０は、特別な部材ではなく、通常使用されるベッドマットレス又は布団の下に敷かれる。このため、対象者は、違和感なく、寝ることができる。
【００５６】
ところで、エアパッド５１内には、その内部に空隙を形成するためのクッション部材が設けられている。このため、エアパッド５１の端部（空気管５２ａ，５２ｂの反対側）近傍が変形された場合、その変形による空気振動は、空気管５２ａ，５２ｂ側に到達するまでに、クッション部材によって減衰される傾向がある。
【００５７】
これに対して、本実施形態に係る生体情報検出装置１０は、エアパッド５１内に上述した内部空気管５３を備えているので、エアパッド５１の変形による空気振動を、クッション部材によって減衰させることなく、内部空気管５３を経由して本体部７０の圧電素子７１に伝達できる。この結果、生体情報検出装置１０は、対象者がエアパッド５１上のどの位置に寝ている場合でも、対象者の生体情報を高精度に検出することができる。
【００５８】
また、生体情報検出装置１０は、１つの圧電素子７１のみで高精度に生体情報を検出できるので、コストを抑制することも可能になる。
【００５９】
なお、本発明は、上述した実施の形態に限定されるものではなく、特許請求の範囲に記載された事項の範囲内で設計変更されたものにも適用可能である。本発明は、将来的には、例えば次のような介護サービス付き住宅のスマートハウスにも適用可能である。
【００６０】
図１１は、上記実施形態の生体情報配信システムが用いられた介護サービス付き住宅のスマートハウスを示す図である。この住宅内のＬＥＤ照明装置には、空間／人感センサ、赤外線センサが組み込まれている。このような構成の複数のＬＥＤ照明装置が、ネットワークにそれぞれつながった状態で屋内の各場所（廊下、風呂、トイレ、寝室など）に設けられ、患者の屋内の位置情報を検出する。なお、ＬＥＤ照明装置は、患者の腕に付けられるものであってＢｌｕｅｔｏｏｔｈ（登録商標）通信機能付き腕時計タイプの機器と通信を行って、患者の屋内の位置情報を検出してもよい。位置情報は、インターネットを介して図１に示す生体情報管理サーバ３０に送信された後、生体情報検出装置１０や情報端末装置２０に送信される。
【００６１】
この結果、生体情報検出装置（介護モニター）１０及び情報端末装置２０は、ＬＥＤ照明装置から送信された患者の位置情報に基づき、常時、患者の位置情報を出力する。これにより、ユーザは、寝室での患者の健康状態だけでなく、患者の屋内の居場所、患者が屋外へ出たか（徘徊したか）も把握することが可能になる。
【００６２】
また、生体情報管理サーバ３０は、生体情報検出装置１０又は情報端末装置２０がスマートハウス内の冷暖房装置、加湿器、除湿器（以下「冷暖房装置等」という。）を制御できる場合、次の制御を行うこともできる。例えば、生体情報管理サーバ３０は、統計データに基づいて生体情報が安定しているときの環境になるように、生体情報検出装置１０や情報端末装置２０を介して、冷暖房装置等を直接制御してもよい。これにより、生体情報管理サーバ３０は、対象者の環境が自動的に最適な状態になるように、スマートハウス内の冷暖房装置等を遠隔操作することができる。
【００６３】
図３に示したエアパッド５１の形状は、長尺状であるが、これに限定されるものではない。例えば、エアパッド５１の形状は、正方形、長方形、円、楕円などでもよい。また、赤ちゃんの生体情報を検出する場合は、エアパッド５１を、おむつの中に入るサイズにして、おむつに入れてもよい。
【符号の説明】
【００６４】
１  生体情報配信システム
１０  生体情報検出装置
２０  情報端末装置
３０  生体情報管理サーバ
５０  エアパッドセンサ
５１  エアパッド
５２ａ，５２ｂ  空気排出口
５３  内部空気管
６０  空気合流部
７０  本体部
７１  圧電素子
７２  フィルタ処理部
７３  信号処理部
【図１】
0005887676.tif 000002
【図２】
0005887676.tif 000003
【図３】
0005887676.tif 000004
【図４】
0005887676.tif 000005
【図５】
0005887676.tif 000006
【図６Ａ】
0005887676.tif 000007
【図６Ｂ】
0005887676.tif 000008
【図７】
0005887676.tif 000009
【図８】
0005887676.tif 000010
【図９】
0005887676.tif 000011
【図１０】
0005887676.tif 000012
【図１１】
0005887676.tif 000013